(57)【特許請求の範囲】
【請求項１】
波長多重リンクを介して接続される任意の２つの光通信ノード間に片方向の光パスが設定され、その光パスと同方向に光パス監視信号が設定された波長多重光通信網において、
前記片方向の光パスを終端する２つの光通信ノード間で、前記片方向の光パスおよび光パス監視信号に対して逆方向に信号チャネルを追加し、その信号チャネルを用いて前記片方向の光パスの光パス監視信号に対する逆方向の光パス監視信号を伝送し、双方向の光パス監視信号の伝送を行う
ことを特徴とする波長多重光通信網の監視方法。
【請求項２】
請求項１に記載の波長多重光通信網の監視方法において、
同じ終端点を共有する複数の片方向の光パスおよび光パス監視信号に対して、前記信号チャネルを共有して複数の逆方向の光パス監視信号を伝送する
ことを特徴とする波長多重光通信網の監視方法。
【請求項３】
波長多重リンクを介して接続される任意の２つの光通信ノード間に片方向の光パスが設定され、その光パスと同方向に光パス監視信号が設定された波長多重光通信網において、
前記波長多重リンクを介して隣接する光通信ノード間に設定される双方向の１ホップ光パスのペイロード部を用いて、前記片方向の光パスの光パス監視信号に対する逆方向の光パス監視信号を伝送し、双方向の光パス監視信号の伝送を行う
ことを特徴とする波長多重光通信網の監視方法。
【請求項４】
波長多重リンクを介して接続される任意の２つの光通信ノード間に片方向の光パスが設定され、その光パスと同方向に光パス監視信号が設定された波長多重光通信網の監視システムにおいて、
前記片方向の光パスを終端する２つの光通信ノードに、前記片方向の光パスおよび光パス監視信号に対して逆方向に信号チャネルを設定する手段を備え、その信号チャネルを用いて前記片方向の光パスの光パス監視信号に対する逆方向の光パス監視信号を伝送する構成である
ことを特徴とする波長多重光通信網の監視システム。
【請求項５】
請求項４に記載の波長多重光通信網の監視システムにおいて、
同じ終端点を共有する複数の片方向の光パスおよび光パス監視信号に対して、設定された信号チャネルを共有して複数の逆方向の光パス監視信号を伝送する構成である
ことを特徴とする波長多重光通信網の監視システム。
【請求項６】
波長多重リンクを介して接続される任意の２つの光通信ノード間に片方向の光パスが設定され、その光パスと同方向に光パス監視信号が設定された波長多重光通信網の監視システムにおいて、
前記片方向の光パスを終端する２つの光通信ノード間の各光通信ノードに、双方向の１ホップ光パスを設定する手段を備え、そのペイロード部を用いて前記片方向の光パスの光パス監視信号に対する逆方向の光パス監視信号を伝送する構成である
ことを特徴とする波長多重光通信網の監視システム。
【発明の詳細な説明】
【０００１】
【発明の属する技術分野】
本発明は、複数の異なる波長の光パスが網状伝送路に設定された波長多重光通信網の監視方法および監視システムに関する。特に、波長多重リンクを介して接続される任意の２つの光通信ノード間に片方向の光パスが設定され、その光パスと同方向に光パス監視信号が設定された波長多重光通信網の監視方法および監視システムに関する。
【０００２】
【従来の技術】
図１０は、従来の波長多重光通信網の監視システムの構成例を示す（参考文献：特開平９−２４７１０６号公報）。
【０００３】
図において、光通信ノード１０１から光通信ノード１０３への伝送方向を上り方向、光通信システム１０３から通信ノード１０１への伝送方向を下り方向と定義する。上り方向では、光通信ノード１０１と光通信ノード１０２が波長多重リンク１１１を介して接続され、光通信ノード１０２と光通信ノード１０３が波長多重リンク１１２，リピータ１０４，波長多重リンク１１３を介して接続される。下り方向では、光通信ノード１０３と光通信ノード１０２が波長多重リンク１１４，リピータ１０４，波長多重リンク１１５を介して接続され、光通信ノード１０２と光通信ノード１０１が波長多重リンク１１６を介して接続される。
【０００４】
ここで、２つの光通信ノード１０１，１０３間に双方向に設定される光パスの終端点間で、光パス＋光パス監視信号１２１，１２２を生成し、主信号と光パス監視信号を同一の信号チャネルで伝送して光パス監視信号の双方向伝送を行うことにより、網状伝送路全体の監視が可能になっている。
【０００５】
例えば、光通信ノード１０１から光通信ノード１０３への光パスを監視するには、光パス監視信号を上りの主信号に重畳し、次に下りの主信号に重畳して折り返し、光パス監視信号を光通信ノード１０１と光通信ノード１０３との間を往復させる。同様に、光通信ノード１０３から光通信ノード１０１への光パスを監視するには、光パス監視信号を下りの主信号に重畳し、次に上りの主信号に重畳して折り返し、光パス監視信号を光通信ノード１０３と光通信ノード１０１との間を往復させる。なお、逆方向の主信号に重畳して折り返す光パス監視信号について、以下必要に応じて「逆方向光パス監視信号」という。
【０００６】
また、波長多重リンクの両端の光通信ノード間に設定される波長多重リンク・光通信ノード監視信号１３１〜１３４と、光通信ノードとリピータ間、または光通信ノード間、またはリピータ間に設定される波長多重リンク・リピータ監視信号１４１〜１４６は、主信号とは異なるチャネルで波長多重リンク中を伝送される。ただし、波長多重リンク・光通信ノード監視信号１３１〜１３４や波長多重リンク・リピータ監視信号１４１〜１４６は、常時存在するとは限らず、必要に応じて設定される。
【０００７】
なお、光通信ノード１０１〜１０３には、光パス＋光パス監視信号１２１，１２２を送受信する光パス・光パス監視信号終端装置１５１〜１５４が配置される。また、光通信ノード１０１〜１０３には、波長多重リンク・光通信ノード監視信号１３１〜１３４を送受信する波長多重リンク・光通信ノード監視信号終端装置１６１〜１６８が配置される。また、光通信ノード１０１〜１０３およびリピータ１０４には、波長多重リンク・リピータ監視信号１４１〜１４６を送受信する波長多重リンク・リピータ監視信号終端装置１７１〜１８２が配置される。各終端装置は、それぞれ対応する光通信ノードおよびリピータの制御装置１９１〜１９４に接続され、相互に情報の交換および監視・制御処理を行う。また、各制御装置１９１〜１９４は、通信網監視装置１９５に接続されて相互に情報の交換を行う。
【０００８】
【発明が解決しようとする課題】
図１０に示す従来の波長多重光通信網の監視システムでは、個々の光パス監視信号を主信号と同一の信号チャネルで伝送しているので、光パス監視信号を双方向に伝送するためには、任意の２つの光通信ノード間に双方向に光パスが設定されている必要がある。そのため、光通信ノード間に片方向の光パスを設定すればよい場合でも、当該光通信ノード間に双方向の光パスを設定する必要がある。
【０００９】
図１１は、光通信ノード間に片方向の光パスが設定される波長多重光通信網の監視システムの構成例を示す。なお、図１０に示す符号と同一符号のものは同一の機能を有する。ここでは、光通信ノード１０３から光通信ノード１０１へ下り方向の光パスが設定され、下り方向の光パス＋光パス監視信号１２２のみが伝送される状況を示す。このようなケースは、例えば放送型の通信形態にみられるものであり、双方向に光パスが設定されていない。すなわち、上り方向に光パス監視信号（逆方向光パス監視信号）を伝送するための光パスがないので、光パス監視信号を主信号に重畳する従来の方法では、光パス監視信号を双方向伝送することができなかった。
【００１０】
本発明は、任意の光通信ノード間に片方向（図１１の例では下り方向）の光パスしか設定されていない状況でも、この光通信ノード間で光パス監視信号の双方向伝送を可能とし、網状伝送路全体での監視を可能とする波長多重光通信網の監視方法および監視システムを提供することを目的とする。
【００１１】
【課題を解決するための手段】
本発明（請求項１，４）の波長多重光通信網の監視方法および監視システムは、片方向の光パスを終端する２つの光通信ノード間で、片方向の光パスおよび光パス監視信号に対して逆方向に信号チャネルを追加し、その信号チャネルを用いて片方向の光パスの光パス監視信号に対する逆方向の光パス監視信号を伝送し、双方向の光パス監視信号の伝送を行う。これにより、片方向のみに光パスが設定されている状況でも、追加された信号チャネルにより光パス監視信号を双方向に伝送することが可能となる。
【００１２】
また、同じ終端点を共有する複数の片方向の光パスおよび光パス監視信号に対しては、信号チャネルを共有して複数の逆方向の光パス監視信号を伝送するようにしてもよい（請求項２，５）。
【００１３】
本発明（請求項３，６）の波長多重光通信網の監視方法および監視システムは、波長多重リンクを介して隣接する光通信ノード間に双方向の１ホップ光パスを設定し、そのペイロード部を用いて片方向の光パスの光パス監視信号に対する逆方向の光パス監視信号を伝送し、双方向の光パス監視信号の伝送を行う。これにより、片方向のみに光パスが設定されている状況でも、設定された１ホップ光パスのペイロード部を用いて、光パス監視信号を双方向に伝送することが可能となる。
【００２２】
【発明の実施の形態】
（第１の実施形態）
図１は、本発明の波長多重光通信網の監視システムの第１の実施形態を示す。なお、図１０に示す従来構成の符号と同一符号のものは同一の機能を有する。ここでは、図１１に示すように、光通信ノード１０３から光通信ノード１０１へ下り方向の光パスが設定され、下り方向の光パス＋光パス監視信号１２２が伝送される状況において、上り方向の光パス監視信号（逆方向光パス監視信号）を伝送するための構成を示す。
【００２３】
本実施形態の構成では、下り方向の光パス監視信号に対応する逆方向光パス監視信号２０１を伝送するために、新たに信号チャネル（波長）を１本追加する。光通信ノード１０１，１０３には、この逆方向光パス監視信号２０１を送受信する逆方向光パス監視信号終端装置２１１，２１２を配置する。
【００２４】
なお、同じ終端点を共有する複数の片方向の光パスおよび光パス監視信号に対しては、それぞれに対して信号チャネルを追加するのではなく、１本の信号チャネルを共有して複数の逆方向の光パス監視信号を伝送するようにしてもよい。この場合に、２本目以降の片方向の光パスおよび光パス監視信号に対して、例えばペイロード部などを用いて逆方向の光パス監視信号を伝送してもよい。
【００２５】
ここで、各光通信ノード、リピータ、各波長多重リンクの構成について整理する。光通信ノード１０１は、上り方向に対して、逆方向光パス監視信号終端装置２１１、波長多重リンク・光通信ノード監視信号終端装置１６１、波長多重リンク・リピータ監視信号終端装置１７１を備え、下り方向に対して、光パス・光パス監視信号終端装置１５４、波長多重リンク・光通信ノード監視信号終端装置１６８、波長多重リンク・リピータ監視信号終端装置１８２を備える。さらに、各終端装置は、制御装置１９１と相互に情報の交換を行い、監視・制御処理を行う。
【００２６】
光通信ノード１０２は、上り方向に対して、波長多重リンク・光通信ノード監視信号終端装置１６２，１６３、波長多重リンク・リピータ監視信号終端装置１７２，１７３を備え、下り方向に対して、波長多重リンク・光通信ノード監視信号終端装置１６６，１６７、波長多重リンク・リピータ監視信号終端装置１８０，１８１を備える。さらに、各終端装置は、制御装置１９２と相互に情報の交換を行い、監視・制御処理を行う。
【００２７】
リピータ１０４は、上り方向に対して、波長多重リンク・リピータ監視信号終端装置１７４，１７５を備え、下り方向に対して、波長多重リンク・リピータ監視信号終端装置１７８，１７９を備える。さらに、各終端装置は、制御装置１９３と相互に情報の交換を行い、監視・制御処理を行う。
【００２８】
光通信ノード１０３は、上り方向に対して、逆方向光パス監視信号終端装置２１２、波長多重リンク・光通信ノード監視信号終端装置１６４、波長多重リンク・リピータ監視信号終端装置１７６を備え、下り方向に対して、光パス・光パス監視信号終端装置１５３、波長多重リンク・光通信ノード監視信号終端装置１６５、波長多重リンク・リピータ監視信号終端装置１７７を備える。さらに、各終端装置は、制御装置１９４と相互に情報の交換を行い、監視・制御処理を行う。また、各制御装置１９１〜１９４は、通信網監視装置１９５に接続され、相互に情報の交換を行う。
【００２９】
上り方向の波長多重リンク１１１には、送信端を光通信ノード１０１の逆方向光パス監視信号終端装置２１１、受信端を光通信ノード１０３の逆方向光パス監視信号終端装置２１２とする逆方向光パス監視信号２０１と、送信端を光通信ノード１０１の波長多重リンク・光通信ノード監視信号終端装置１６１、受信端を光通信ノード１０２の波長多重リンク・光通信ノード監視信号終端装置１６２とする波長多重リンク・光通信ノード監視信号１３１と、送信端を光通信ノード１０１の波長多重リンク・リピータ監視信号終端装置１７１、受信端を光通信ノード１０２の波長多重リンク・リピータ監視信号終端装置１７２とする波長多重リンク・リピータ監視信号１４１が設定される。
【００３０】
上り方向の波長多重リンク１１２には、逆方向光パス監視信号２０１と、送信端を光通信ノード１０２の波長多重リンク・光通信ノード監視信号終端装置１６３、受信端を光通信ノード１０３の波長多重リンク・光通信ノード監視信号終端装置１６４とする波長多重リンク・光通信ノード監視信号１３２と、送信端を光通信ノード１０２の波長多重リンク・リピータ監視信号終端装置１７３、受信端をリピータ１０４の波長多重リンク・リピータ監視信号終端装置１７４とする波長多重リンク・リピータ監視信号１４２が設定される。
【００３１】
上り方向の波長多重リンク１１３には、逆方向光パス監視信号２０１と、波長多重リンク・光通信ノード監視信号１３２と、送信端をリピータ１０４の波長多重リンク・リピータ監視信号終端装置１７５、受信端を光通信ノード１０３の波長多重リンク・リピータ監視信号終端装置１７６とする波長多重リンク・リピータ監視信号１４３が設定される。
【００３２】
下り方向の波長多重リンク１１４には、送信端を光通信ノード１０３の光パス・光パス監視信号終端装置１５３、受信端を光通信ノード１０１の光パス・光パス監視信号終端装置１５４とする光パス＋光パス監視信号１２２と、送信端を光通信ノード１０３の波長多重リンク・光通信ノード監視信号終端装置１６５、受信端を光通信ノード１０２の波長多重リンク・光通信ノード監視信号終端装置１６６とする波長多重リンク・光通信ノード監視信号１３３と、送信端を光通信ノード１０３の波長多重リンク・リピータ監視信号終端装置１７７、受信端をリピータ１０４の波長多重リンク・リピータ監視信号終端装置１７８とする波長多重リンク・リピータ監視信号１４４が設定される。
【００３３】
下り方向の波長多重リンク１１５には、光パス＋光パス監視信号１２２と、波長多重リンク・光通信ノード監視信号１３３と、送信端をリピータ１０４の波長多重リンク・リピータ監視信号終端装置１７９、受信端を光通信ノード１０２の波長多重リンク・リピータ監視信号終端装置１８０とする波長多重リンク・リピータ監視信号１４５が設定される。
【００３４】
下り方向の波長多重リンク１１６には、光パス＋光パス監視信号１２２と、送信端を光通信ノード１０２の波長多重リンク・光通信ノード監視信号終端装置１６７、受信端を光通信ノード１０１の波長多重リンク・光通信ノード監視信号終端装置１６８とする波長多重リンク・光通信ノード監視信号１３４と、送信端を光通信ノード１０２の波長多重リンク・リピータ監視信号終端装置１８１、受信端を光通信ノード１０１の波長多重リンク・リピータ監視信号終端装置１８２とする波長多重リンク・リピータ監視信号１４６が設定される。
【００３５】
ここで、図２を参照し、逆方向光パス監視信号終端装置２１１，２１２の送信・受信動作について説明する。図２（ａ）  は、光通信ノード１０１の送信端に配置される逆方向光パス監視信号終端装置２１１として、電気／光変換器２２１を用いた構成例を示す。制御装置１９１から出力される電気信号の逆方向光パス監視信号２３１は、電気／光変換器２２１で光信号（波長λｓｖ）の逆方向光パス監視信号２０１に変換され、波長多重リンク１１１に送信される。波長λｓｖは、他の光パス（主信号）や波長多重リンク・光通信ノード監視信号、波長多重リンク・リピータ監視信号の波長と異なるように設定される。
【００３６】
図２（ｂ）  は、光通信ノード１０３の受信端に配置される逆方向光パス監視信号終端装置２１２として、光／電気変換器２２２を用いた構成例を示す。波長多重リンク１１３から分波された波長λｓｖの逆方向光パス監視信号２０１は、光／電気変換器２２２で電気信号の逆方向光パス監視信号２３２に変換され、制御装置１９４へ送られる。
【００３７】
（第２の実施形態）
図３は、本発明の波長多重光通信網の監視システムの第２の実施形態を示す。なお、図１に示す第１の実施形態の符号と同一符号のものは同一の機能を有する。ここでは、第１の実施形態と同様に、光通信ノード１０３から光通信ノード１０１へ下り方向の光パスが設定され、下り方向の光パス＋光パス監視信号１２２のみが伝送される状況において、上り方向の光パス監視信号（逆方向光パス監視信号）を伝送するための構成を示すが、下り方向については同一構成であるのでその部分については省略している。
【００３８】
本実施形態の構成では、下り方向の光パス監視信号に対応する逆方向光パス監視信号を伝送するために、波長多重リンクを介して隣接する光通信ノード間に光パス（１ホップ光パス）を設定し、逆方向光パス監視信号をこの１ホップ光パスのペイロード部に格納して伝送する。この信号を光パス＋逆方向光パス監視信号２０２，２０３という。光通信ノード１０１〜１０３には、この光パス＋逆方向光パス監視信号２０２，２０３を送受信する光パス／逆方向光パス監視信号終端装置２１３〜２１６を配置する。
【００３９】
なお、１ホップ光パスは各光通信ノードで終端されるので、例えば逆方向光パス監視信号にアドレス付与し、各光通信ノードの制御装置でルーティングすることにより、目的の光通信ノード（下り方向の光パスの送信端である光通信ノード１０３）へ伝送されるように設定する。
【００４０】
（第３の実施形態：参考例）
図４は、本発明の波長多重光通信網の監視システムの第３の実施形態（参考例）を示す。なお、図１に示す第１の実施形態の符号と同一符号のものは同一の機能を有する。ここでは、第１の実施形態および第２の実施形態と同様に、下り方向に関する部分については省略している。
【００４１】
本実施形態の構成では、下り方向の光パス監視信号に対応する逆方向光パス監視信号を波長多重リンク・光通信ノード監視信号に多重し、両監視信号を同一の信号チャネルで伝送する。この信号を逆方向光パス監視信号＋波長多重リンク・光通信ノード監視信号３０１，３０２という。光通信ノード１０１〜１０３には、逆方向光パス監視信号＋波長多重リンク・光通信ノード監視信号３０１，３０２を送受信する逆方向光パス監視信号／波長多重リンク・光通信ノード監視信号終端装置３１１〜３１４を配置する。
【００４２】
なお、本実施形態の監視システムは、波長多重リンク・光通信ノード監視信号と波長多重リンク・リピータ監視信号の両方が存在する場合や、波長多重リンク・光通信ノード監視信号のみが存在する場合のいずれにも適用可能である。
【００４３】
以下、本実施形態の説明では、単に監視信号３０１，３０２、終端装置３１１〜３１４とする。図５を参照し、終端装置３１１〜３１４の送信・受信動作について説明する。
【００４４】
図５（ａ）  は、光通信ノード１０１，１０２の送信端に配置される終端装置３１１，３１３として、電気段の多重化器３２１および電気／光変換器３２２を用いた構成例を示す。制御装置１９１，１９２から出力される電気信号の逆方向光パス監視信号３３１および波長多重リンク・光通信ノード監視信号３３２は、多重化器３２１で多重化処理され、電気信号の逆方向光パス監視信号＋波長多重リンク・光通信ノード監視信号３３３が生成される。この電気信号の逆方向光パス監視信号＋波長多重リンク・光通信ノード監視信号３３３は、電気／光変換器３２２で光信号（波長λｓｖ）の監視信号３０１，３０２に変換され、波長多重リンク１１１，１１２へ送信される。波長λｓｖは、他の光パス（主信号）や波長多重リンク・リピータ監視信号の波長と異なるように設定される。
【００４５】
図５（ｂ）  は、光通信ノード１０２，１０３の受信端に配置される終端装置３１２，３１４として、光／電気変換器３２３および電気段の多重分離器３２４を用いた構成例を示す。波長多重リンク１１１，１１３から分波された波長λｓｖの監視信号３０１，３０２は、光／電気変換器３２３で電気信号の逆方向光パス監視信号＋波長多重リンク・光通信ノード監視信号３３４に変換される。この信号は、さらに多重分離器３２４で電気信号の逆方向光パス監視信号３３５および波長多重リンク・光通信ノード監視信号３３６に分離され、制御装置１９２，１９４へ送られる。
【００４６】
（第４の実施形態：参考例）
図６は、本発明の波長多重光通信網の監視システムの第４の実施形態（参考例）を示す。なお、図１に示す第１の実施形態の符号と同一符号のものは同一の機能を有する。ここでは、第１の実施形態〜第３の実施形態と同様に、下り方向に関する部分については省略している。
【００４７】
本実施形態の構成では、下り方向の光パス監視信号に対応する逆方向光パス監視信号を波長多重リンク・リピータ監視信号に多重し、両監視信号を同一の信号チャネルで伝送する。この信号を逆方向光パス監視信号＋波長多重リンク・リピータ監視信号４０１〜４０３という。光通信ノード１０１〜１０３およびリピータ１０４には、逆方向光パス監視信号＋波長多重リンク・リピータ監視信号４０１〜４０３を送受信する逆方向光パス監視信号／波長多重リンク・リピータ監視信号終端装置４１１〜４１６を配置する。ただし、リピータ１０４では、逆方向光パス監視信号／波長多重リンク・リピータ監視信号終端装置４１４，４１５間に、逆方向光パス監視信号をスルーするための制御線４１７が設けられる。
【００４８】
なお、本実施形態の監視システムは、波長多重リンク・光通信ノード監視信号と波長多重リンク・リピータ監視信号の両方が存在する場合や、波長多重リンク・リピータ監視信号のみが存在する場合のいずれにも適用可能である。
【００４９】
以下、本実施形態の説明では、単に監視信号４０１〜４０３、終端装置４１１〜４１６とする。図７を参照し、終端装置４１１〜４１６の送信・受信動作について説明する。
【００５０】
図７（ａ）  は、光通信ノード１０１，１０２の送信端に配置される終端装置４１１，４１３として、電気／光変換器４２１および光変調器４２２を用いた構成例を示す。制御装置１９１，１９２から出力される電気信号の逆方向光パス監視信号４３１は、電気／光変換器４２１で光信号（波長λｓｖ）の逆方向光パス監視信号４３２に変換される。波長λｓｖは、他の光パス（主信号）や波長多重リンク・光通信ノード監視信号の波長と異なるように設定される。光変調器４２２は、この光信号の逆方向光パス監視信号４３２を制御装置１９１，１９２から出力される電気信号の波長多重リンク・リピータ監視信号４３３で変調し、光信号の監視信号４０１，４０２を生成して波長多重リンク１１１，１１２へ送信する。
【００５１】
図７（ｂ）  は、光通信ノード１０２，１０３の受信端に配置される終端装置４１２，４１６として、光信号分配器４２３、光／電気変換器４２４および光復調器４２５を用いた構成例を示す。波長多重リンク１１１，１１３から分波された波長λｓｖの監視信号４０１，４０３は、光信号分配器４２３で２分配され、それぞれ光／電気変換器４２４と光復調器４２５に入力される。光／電気変換器４２４では、監視信号４０１，４０３から電気信号の逆方向光パス監視信号４３４に変換し、制御装置１９２，１９４へ送出する。光復調器４２５では、監視信号４０１，４０３から電気信号の波長多重リンク・リピータ監視信号４３５を再生し、制御装置１９２，１９４へ送出する。
【００５２】
図７（ｃ）  は、リピータ１０４の受信端に配置される終端装置４１４として、光信号分配器４２３、光／電気変換器４２４および光復調器４２５を用いた構成例と、送信端に配置される終端装置４１５として、電気／光変換器４２１および光変調器４２２を用いた構成例を示す。なお、光／電気変換器４２４と電気／光変調器４２１は、制御線４１７を介して接続される。
【００５３】
波長多重リンク１１２から分波された波長λｓｖの監視信号４０２は、光信号分配器４２３で２分配され、それぞれ光／電気変換器４２４と光復調器４２５に入力される。光／電気変換器４２４では、監視信号４０２から電気信号の逆方向光パス監視信号４３４に変換し、制御線４１７を介して電気／光変換器４２１へ送り、再び光信号（波長λｓｖ）の逆方向光パス監視信号４３２に変換する。これにより、波長多重リンク・リピータ監視信号による変調成分が除去される。光復調器４２５では、監視信号４０２から電気信号の波長多重リンク・リピータ監視信号４３５を再生し、制御装置１９３へ送出する。光変調器４２２は、電気／光変換器４２１から出力された光信号（波長λｓｖ）の逆方向光パス監視信号４３２を、制御装置１９３から出力される電気信号の波長多重リンク・リピータ監視信号４３３で変調し、光信号の監視信号４０３を生成して波長多重リンク１１３へ送信する。
【００５４】
ところで、第３の実施形態は、逆方向光パス監視信号と波長多重リンク・光通信ノード監視信号を電気段で多重し、同一の信号チャネルで伝送するものである。第４の実施形態は、逆方向光パス監視信号と波長多重リンク・リピータ監視信号を光段で多重し、同一の信号チャネルで伝送するものである。それぞれの多重化方法は入れ替えが可能であり、第３の実施形態を光段で多重化する構成としてもよく、また第４の実施形態を電気段で多重化する構成としてもよい。
【００５５】
（第５の実施形態：参考例）
図８は、本発明の波長多重光通信網の監視システムの第５の実施形態（参考例）を示す。なお、図１に示す第１の実施形態の符号と同一符号のものは同一の機能を有する。ここでは、第１の実施形態〜第４の実施形態と同様に、下り方向に関する部分については省略している。
【００５６】
本実施形態の構成では、下り方向の光パス監視信号に対応する逆方向光パス監視信号を、波長多重リンク・光通信ノード監視信号および波長多重リンク・リピータ監視信号に多重し、各監視信号を同一の信号チャネルで伝送する。この信号を逆方向光パス監視信号＋波長多重リンク・光通信ノード監視信号＋波長多重リンク・リピータ監視信号５０１〜５０３という。光通信ノード１０１〜１０３およびリピータ１０４には、逆方向光パス監視信号＋波長多重リンク・光通信ノード監視信号＋波長多重リンク・リピータ監視信号５０１〜５０３を送受信する逆方向光パス監視信号／波長多重リンク・光通信ノード監視信号／波長多重リンク・リピータ監視信号終端装置５１１〜５１６を配置する。ただし、リピータ１０４では、逆方向光パス監視信号／波長多重リンク・光通信ノード監視信号／波長多重リンク・リピータ監視信号終端装置５１４，５１５間に、逆方向光パス監視信号および波長多重リンク・光通信ノード監視信号をスルーするための制御線５１７，５１８が設けられる。
【００５７】
以下、本実施形態の説明では、単に監視信号５０１〜５０３、終端装置５１１〜５１６とする。図９を参照し、終端装置５１１〜５１６の送信・受信動作について説明する。なお、ここでは、３つの監視信号を電気段で多重化する例を示すが、電気段と光段の多重化方法を組み合わせる方法（第３の実施形態と第４の実施形態の組合せ）をとることも可能である。
【００５８】
図９（ａ）  は、光通信ノード１０１，１０２の送信端に配置される終端装置５１１，５１３として、電気段の多重化器５２１および電気／光変換器５２２を用いた構成例を示す。制御装置１９１，１９２から出力される電気信号の逆方向光パス監視信号５３１、波長多重リンク・光通信ノード監視信号５３２および波長多重リンク・リピータ監視信号５３３は、多重化器５２１で多重化処理され、電気信号の逆方向光パス監視信号＋波長多重リンク・光通信ノード監視信号＋波長多重リンク・リピータ監視信号５３４が生成される。この電気信号は、電気／光変換器５２２で光信号（波長λｓｖ）の監視信号５０１，５０２に変換され、波長多重リンク１１１，１１２へ送信される。波長λｓｖは、他の光パス（主信号）の波長と異なるように設定される。
【００５９】
図９（ｂ）  は、光通信ノード１０２，１０３の受信端に配置される終端装置５１２，５１６として、光／電気変換器５２３および電気段の多重分離器５２４を用いた構成例を示す。波長多重リンク１１１，１１３から分波された波長λｓｖの監視信号５０１，５０３は、光／電気変換器５２３で電気信号の逆方向光パス監視信号＋波長多重リンク・光通信ノード監視信号＋波長多重リンク・リピータ監視信号５３５に変換される。この信号は、さらに多重分離器５２４で電気信号の逆方向光パス監視信号５３６、波長多重リンク・光通信ノード監視信号５３７および波長多重リンク・リピータ監視信号５３８に分離され、それぞれ制御装置１９２，１９４へ送られる。
【００６０】
図９（ｃ）  は、リピータ１０４の受信端に配置される終端装置５１４として、光／電気変換器５２３および電気段の多重分離器５２４を用いた構成例と、送信端に配置される終端装置５１５として、電気段の多重化器５２１および電気／光変換器５２２を用いた構成例を示す。なお、多重分離器５２４と多重化器５２１は、制御線５１７，５１８を介して接続される。
【００６１】
波長多重リンク１１２から分波された波長λｓｖの監視信号５０２は、光／電気変換器５２３で電気信号の逆方向光パス監視信号＋波長多重リンク・光通信ノード監視信号＋波長多重リンク・リピータ監視信号５３５に変換される。この信号は、さらに多重分離器５２４で電気信号の逆方向光パス監視信号５３６、波長多重リンク・光通信ノード監視信号５３７および波長多重リンク・リピータ監視信号５３８に分離される。このうち、波長多重リンク・リピータ監視信号５３８は、リピータ１０４で終端処理されるために制御装置１９３へ送られる。
【００６２】
逆方向光パス監視信号５３６および波長多重リンク・光通信ノード監視信号５３７は、制御線５１７，５１８を介して多重化器５２１へ送られる。多重化器５２１では、逆方向光パス監視信号５３６および波長多重リンク・光通信ノード監視信号５３７と、制御装置１９３から出力される電気信号の波長多重リンク・リピータ監視信号５３３とを多重化処理し、電気信号の逆方向光パス監視信号＋波長多重リンク・光通信ノード監視信号＋波長多重リンク・リピータ監視信号５３４が生成される。この電気信号は、電気／光変換器５２２で光信号（波長λｓｖ）の監視信号５０３に変換され、波長多重リンク１１３へ送信される。波長λｓｖは、他の光パス（主信号）の波長と異なるように設定される。
【００６３】
【発明の効果】
以上説明したように、本発明の波長多重光通信網の監視方法および監視システムは、任意の２つの光通信ノード間に設定される光パスが片方向であっても、信号チャネルの追加や１ホップ光パスのペイロード部を用いて逆方向の光パス監視信号を伝送することにより、双方向の光パス監視信号の伝送が可能となる。
【００６５】
したがって、波長多重光通信網にどのような光パスが設定されていても、波長多重光通信網全体で各光パスの監視を確実に行うことができる。
【図面の簡単な説明】
【図１】本発明の波長多重光通信網の監視システムの第１の実施形態を示す図。
【図２】第１の実施形態の逆方向光パス監視信号終端装置２１１，２１２の構成例を示す図。
【図３】本発明の波長多重光通信網の監視システムの第２の実施形態を示す図。
【図４】本発明の波長多重光通信網の監視システムの第３の実施形態を示す図。
【図５】第３の実施形態の終端装置３１１〜３１４の構成例を示す図。
【図６】本発明の波長多重光通信網の監視システムの第４の実施形態を示す図。
【図７】第４の実施形態の終端装置４１１〜４１６の構成例を示す図。
【図８】本発明の波長多重光通信網の監視システムの第５の実施形態を示す図。
【図９】第５の実施形態の終端装置５１１〜５１６の構成例を示す図。
【図１０】従来の波長多重光通信網の監視システムの構成例を示す図。
【図１１】光通信ノード間に片方向の光パスが設定される従来の波長多重光通信網の監視システムの構成例を示す図。
【符号の説明】
１０１〜１０３  光通信ノード
１０４  リピータ
１１１〜１１６  波長多重リンク
１２１，１２２  光パス＋光パス監視信号
１３１〜１３４  波長多重リンク・光通信ノード監視信号
１４１〜１４６  波長多重リンク・リピータ監視信号
１５１〜１５４  光パス・光パス監視信号終端装置
１６１〜１６８  波長多重リンク・光通信ノード監視信号終端装置
１７１〜１８２  波長多重リンク・リピータ監視信号終端装置
１９１〜１９４  制御装置
１９５  通信網監視装置
２０１  逆方向光パス監視信号
２０２，２０３  光パス＋逆方向光パス監視信号
２１１，２１２  逆方向光パス監視信号終端装置
２２１  電気／光変換器
２２２  光／電気変換器
３０１  逆方向光パス監視信号＋波長多重リンク・光通信ノード監視信号
３１１〜３１４  逆方向光パス監視信号／波長多重リンク・光通信ノード監視信号終端装置
３２１  多重化器
３２２  電気／光変換器
３２３  光／電気変換器
３２４  多重分離器
４０１〜４０３  逆方向光パス監視信号＋波長多重リンク・リピータ監視信号
４１１〜４１６  逆方向光パス監視信号／波長多重リンク・リピータ監視信号終端装置
４１７  制御線
４２１  電気／光変換器
４２２  光変調器
４２３  光信号分配器
４２４  光／電気変換器
４２５  光復調器
５０１〜５０３  逆方向光パス監視信号＋波長多重リンク・光通信ノード監視信号＋波長多重リンク・リピータ監視信号
５１１〜５１６  逆方向光パス監視信号／波長多重リンク・光通信ノード監視信号／波長多重リンク・リピータ監視信号終端装置
５１７，５１８  制御線
５２１  多重化器
５２２  電気／光変換器
５２３  光／電気変換器
５２４  多重分離器
【図１】
0003589616.tif 000002
【図２】
0003589616.tif 000003
【図３】
0003589616.tif 000004
【図４】
0003589616.tif 000005
【図５】
0003589616.tif 000006
【図６】
0003589616.tif 000007
【図７】
0003589616.tif 000008
【図８】
0003589616.tif 000009
【図９】
0003589616.tif 000010
【図１０】
0003589616.tif 000011
【図１１】
0003589616.tif 000012